(57)【要約】【課題】印刷時に記録用紙を往復搬送させ、記録用紙をプリンタの本体から突出させて印刷するプリンタに対して、印刷時における塵埃の侵入を防止できる防塵ユニット及び防塵ユニット付きプリンタを提供する。【解決手段】所望の画像を記録用紙に印刷するためのプリンタと、プリンタを覆い囲って収容する筐体を有した防塵ユニットと、を備えた防塵ユニット付きプリンタであって、防塵ユニットが、複数枚の未使用の記録用紙を収納可能な用紙収納部と、プリンタを設置可能なプリンタ載置部と、印刷済み記録用紙を収容可能な印刷用紙収容部と、を有して筐体内に備え、防塵ユニットには、プリンタの印刷条件を検知する検知手段を有し、プリンタをプリンタ載置部に設置することで、検知手段からプリンタの印刷条件を検知可能にし、プリンタの印刷条件を検知した際に、用紙収納部から記録用紙をプリンタの給紙部に搬送可能としたことを特徴としている。【選択図】図１
0003170617.tif 000002
【実用新案登録請求の範囲】
【請求項１】
複数枚の未使用の記録用紙を収納可能な用紙収納部と、
所望の画像を前記記録用紙に印刷するための印刷手段を有するプリンタを設置可能なプリンタ載置部と、
前記プリンタにより印刷された印刷済み記録用紙を収容可能な印刷用紙収容部と、を備えた防塵ユニットであって、
前記プリンタの前記印刷手段は、前記記録用紙を給紙する給紙部と、前記記録用紙を往復搬送する搬送手段と、前記記録用紙を排紙する排紙部と、を備えており、
前記用紙収納部と前記印刷用紙収容部と前記印刷手段を有する前記プリンタとを覆い囲った筐体を有するとともに、
前記プリンタの印刷条件を検知する検知手段を有し、
前記プリンタを前記プリンタ載置部に設置することで、前記検知手段から前記プリンタの印刷条件を検知可能にし、
前記プリンタの印刷条件を検知した際に、前記用紙収納部から前記記録用紙を前記プリンタの前記給紙部に搬送可能としたことを特徴とする防塵ユニット。
【請求項２】
前記検知手段は、前記プリンタに設けられた駆動部の駆動状態を検知する検出部を有し、
前記検出部で前記駆動部の駆動を検知した際に、前記用紙収納部の近傍に設けられた駆動体により、前記用紙収納部から前記記録用紙を前記プリンタの前記給紙部に搬送可能としたことを特徴とする請求項１に記載の防塵ユニット。
【請求項３】
前記プリンタが前記記録用紙の種類に対応した印刷条件を選択するための切換手段を前記プリンタの前記給紙部の近傍に有し、
前記プリンタ載置部近傍には、前記プリンタが前記プリンタ載置部に設置された際に前記切換手段を切り換える切換部を有していることを特徴とする請求項１または請求項２に記載の防塵ユニット。
【請求項４】
所望の画像を記録用紙に印刷するための印刷手段を有するプリンタと、
前記プリンタを覆い囲って収容する筐体を有した防塵ユニットと、を備えた防塵ユニット付きプリンタであって、
防塵ユニットは、複数枚の未使用の記録用紙を収納可能な用紙収納部と、前記プリンタを設置可能なプリンタ載置部と、前記プリンタにより印刷された印刷済み記録用紙を収容可能な印刷用紙収容部と、を有して前記筐体内に備え、
前記プリンタの前記印刷手段は、前記記録用紙を給紙する給紙部と、前記記録用紙を往復搬送する搬送手段と、前記記録用紙を排紙する排紙部と、を備え、
防塵ユニットには、前記プリンタの印刷条件を検知する検知手段を有し、
前記プリンタを前記プリンタ載置部に設置することで、前記検知手段から前記プリンタの印刷条件を検知可能にし、
前記プリンタの印刷条件を検知した際に、前記用紙収納部から前記記録用紙を前記プリンタの前記給紙部に搬送可能としたことを特徴とする防塵ユニット付きプリンタ。
【請求項５】
前記プリンタの前記給紙部には、印刷時に前記記録用紙を所望の位置に配置するための駆動部を有しており、
前記検知手段は、前記駆動部の駆動状態を検知する検出部を有し、前記検出部で前記駆動部の駆動を検知した際に、前記用紙収納部の近傍に設けられた駆動体により、前記用紙収納部から前記記録用紙を前記プリンタの前記給紙部に搬送可能としたことを特徴とする請求項４に記載の防塵ユニット付きプリンタ。
【請求項６】
前記プリンタの前記給紙部の近傍には、前記プリンタが前記記録用紙の種類に対応した印刷条件を選択するための切換手段が配設されており、
前記プリンタ載置部近傍には、前記プリンタが前記プリンタ載置部に設置された際に前記切換手段を切り換える切換部を有しており、前記切換部の前記切換手段の切り換えにより前記プリンタが前記プリンタ載置部に設置されたことを検知するようにしたことを特徴とする請求項４または請求項５に記載の防塵ユニット付きプリンタ。
【請求項７】
前記筐体は、前記用紙収納部と前記印刷用紙収容部と前記プリンタとを収容する収容部を有するケースと、前記ケースを覆うように配置されたカバーとを有し、
前記筐体には、前記印刷用紙収容部から印刷済み前記記録用紙を取り出すための取出蓋を有していることを特徴とする請求項４ないし請求項６のいずれかに記載の防塵ユニット付きプリンタ。
【請求項８】
前記筐体には、前記プリンタにインク体を装着するための装着蓋を有していることを特徴とする請求項７に記載の防塵ユニット付きプリンタ。
【請求項９】
前記筐体には、前記用紙収納部に前記記録用紙を入れるための挿入蓋を有していることを特徴とする請求項７または請求項８に記載の防塵ユニット付きプリンタ。
【請求項１０】
前記プリンタには、外部機器との接続用の接続部を有しており、
前記筐体には、前記接続部と前記外部機器との接続を可能にするための接続蓋を有していることを特徴とする請求項７ないし請求項９のいずれかに記載の防塵ユニット付きプリンタ。
【請求項１１】
前記プリンタの電源がオンされた際に、前記防塵ユニットに設けられた前記検出部により前記プリンタの前記駆動部の駆動状態を検知して、前記防塵ユニットを初期化し、
前記プリンタの印刷が開始される際に、前記検出部により前記プリンタの前記駆動部の駆動状態を検知して、前記防塵ユニットに設けられた前記用紙収納部から前記記録用紙を前記プリンタの前記給紙部に搬送可能になるように準備し、
前記防塵ユニットに備えられた前記切換部によって、前記プリンタに設けられた前記切換手段が切り換えられ、前記用紙収納部の前記記録用紙の種類に対応した印刷条件に切り換えられて、印刷が実行され、
前記プリンタの印刷が終了した際に、前記検出部により前記プリンタの前記駆動部の駆動状態を検知して、前記プリンタの前記排紙部から印刷済み前記記録用紙を前記防塵ユニットに設けられた前記印刷用紙収容部に搬送可能になるように準備し、
前記印刷用紙収容部に印刷済み前記記録用紙の搬送が全て終了した際に、前記検出部により前記プリンタの前記駆動部の駆動状態を検知して、前記防塵ユニットを初期化後の状態に復帰することを特徴とする請求項６ないし請求項１０のいずれかに記載の防塵ユニット付きプリンタ。
【考案の詳細な説明】
【技術分野】
【０００１】
本考案は、記録用紙を往復搬送して印刷するプリンタに関し、特に記録用紙の印刷面を保護するための防塵ユニット及び防塵ユニット付きプリンタに関する。
【背景技術】
【０００２】
従来から、店頭などの室外に常設して使用するプリンタやデジタルカメラ等で撮影した画像をその場で印刷するためのプリンタでは、記録用紙に付着する塵埃（ゴミ）やプリンタ内部に侵入する塵埃が、印刷欠け等の印刷品質低下をまねくだけでなく、熱転写プリンタやインクジェットプリンタ等の印刷ヘッド等の破損の原因ともなっていた。
【０００３】
上述の問題を解決するために、特許文献１では、図８に示すように、外部からの塵埃の侵入を防止することができる記録媒体カセット９２０が提案されている。図８に示す記録媒体カセット９２０は、記録媒体収容部９２１に外部から遮断して記録媒体ＳＳを収容し、記録媒体ＳＳと同じ空間に収容された供給ローラ９３０によって、記録媒体通過口９２５を通過させて印刷装置（図示していない）に記録媒体ＳＳを供給する。この記録媒体通過口９２５には、記録媒体ＳＳが通過可能な状態で記録媒体通過口９２５の隙間を塞ぐようにして、一対の給排紙ローラ９２６が形成されている。これによれば、記録媒体カセット９２０は、外部から遮断して記録媒体ＳＳを収容し、記録媒体収容部９２１に収容された供給ローラ９３０によって記録媒体通過口９２５を通過させて、印刷装置に記録媒体ＳＳを供給するので、印刷装置に装着された際に、開口する部分がないため、外部からの塵埃の侵入を防止することができるとしている。
【先行技術文献】
【特許文献】
【０００４】
【特許文献１】特開２００６−１５１５６１号公報
【考案の概要】
【考案が解決しようとする課題】
【０００５】
近年では、デジタルカメラ等で撮影した画像をその場で印刷するためのコンパクトなプリンタの発達が著しく、この手のプリンタは、コンパクトにするため、プリンタ内部で記録用紙を全て往復搬送するスペースを確保することが難しく、印刷時に記録用紙をプリンタの本体から突出させて印刷する手法を用いている場合が多い。特に、昇華型の熱転写プリンタでは、この手法を用いる場合が多い。
【０００６】
しかしながら、印刷時に記録用紙を往復搬送させ、記録用紙をプリンタの本体から突出させて印刷するプリンタに従来例１の方法を適用した場合、未使用の記録用紙（記録媒体ＳＳ）の防塵は可能であるが、記録用紙の排出口からの塵埃の進入を防止できないとともに、印刷途中の記録用紙上に付着する塵埃の防止もできないという問題があった。
【０００７】
本考案は、上述した課題を解決するもので、印刷時における塵埃の侵入を防止できる防塵ユニット及び防塵ユニット付きプリンタを提供することを目的とする。
【課題を解決するための手段】
【０００８】
この課題を解決するために、本考案の請求項１による防塵ユニットは、複数枚の未使用の記録用紙を収納可能な用紙収納部と、所望の画像を前記記録用紙に印刷するための印刷手段を有するプリンタを設置可能なプリンタ載置部と、前記プリンタにより印刷された印刷済み記録用紙を収容可能な印刷用紙収容部と、を備えた防塵ユニットであって、前記プリンタの前記印刷手段は、前記記録用紙を給紙する給紙部と、前記記録用紙を往復搬送する搬送手段と、前記記録用紙を排紙する排紙部と、を備えており、前記用紙収納部と前記印刷用紙収容部と前記印刷手段を有する前記プリンタとを覆い囲った筐体を有するとともに、前記プリンタの印刷条件を検知する検知手段を有し、前記プリンタを前記プリンタ載置部に設置することで、前記検知手段から前記プリンタの印刷条件を検知可能にし、前記プリンタの印刷条件を検知した際に、前記用紙収納部から前記記録用紙を前記プリンタの前記給紙部に搬送可能としたことを特徴としている。
【０００９】
また、本考案の請求項２による防塵ユニットは、前記検知手段が、前記プリンタに設けられた駆動部の駆動状態を検知する検出部を有し、前記検出部で前記駆動部の駆動を検知した際に、前記用紙収納部の近傍に設けられた駆動体により、前記用紙収納部から前記記録用紙を前記プリンタの前記給紙部に搬送可能としたことを特徴としている。
【００１０】
また、本考案の請求項３による防塵ユニットは、前記プリンタが前記記録用紙の種類に対応した印刷条件を選択するための切換手段を前記プリンタの前記給紙部の近傍に有し、前記プリンタ載置部近傍には、前記プリンタが前記プリンタ載置部に設置された際に前記切換手段を切り換える切換部を有していることを特徴としている。
【００１１】
また、本考案の請求項４による防塵ユニット付きプリンタは、所望の画像を記録用紙に印刷するための印刷手段を有するプリンタと、前記プリンタを覆い囲って収容する筐体を有した防塵ユニットと、を備えた防塵ユニット付きプリンタであって、防塵ユニットが、複数枚の未使用の記録用紙を収納可能な用紙収納部と、前記プリンタを設置可能なプリンタ載置部と、前記プリンタにより印刷された印刷済み記録用紙を収容可能な印刷用紙収容部と、を有して前記筐体内に備え、前記プリンタの前記印刷手段が、前記記録用紙を給紙する給紙部と、前記記録用紙を往復搬送する搬送手段と、前記記録用紙を排紙する排紙部と、を備え、防塵ユニットには、前記プリンタの印刷条件を検知する検知手段を有し、前記プリンタを前記プリンタ載置部に設置することで、前記検知手段から前記プリンタの印刷条件を検知可能にし、前記プリンタの印刷条件を検知した際に、前記用紙収納部から前記記録用紙を前記プリンタの前記給紙部に搬送可能としたことを特徴としている。
【００１２】
また、本考案の請求項５による防塵ユニット付きプリンタは、前記プリンタの前記給紙部には、印刷時に前記記録用紙を所望の位置に配置するための駆動部を有しており、前記検知手段が、前記駆動部の駆動状態を検知する検出部を有し、前記検出部で前記駆動部の駆動を検知した際に、前記用紙収納部の近傍に設けられた駆動体により、前記用紙収納部から前記記録用紙を前記プリンタの前記給紙部に搬送可能としたことを特徴としている。
【００１３】
また、本考案の請求項６による防塵ユニット付きプリンタは、前記プリンタの前記給紙部の近傍には、前記プリンタが前記記録用紙の種類に対応した印刷条件を選択するための切換手段が配設されており、前記プリンタ載置部近傍には、前記プリンタが前記プリンタ載置部に設置された際に前記切換手段を切り換える切換部を有しており、前記切換部の前記切換手段の切り換えにより前記プリンタが前記プリンタ載置部に設置されたことを検知するようにしたことを特徴としている。
【００１４】
また、本考案の請求項７による防塵ユニット付きプリンタは、前記筐体が、前記用紙収納部と前記印刷用紙収容部と前記プリンタとを収容する収容部を有するケースと、前記ケースを覆うように配置されたカバーとを有し、前記筐体には、前記印刷用紙収容部から印刷済み前記記録用紙を取り出すための取出蓋を有していることを特徴としている。
【００１５】
また、本考案の請求項８による防塵ユニット付きプリンタは、前記筐体には、前記プリンタにインク体を装着するための装着蓋を有していることを特徴としている。
【００１６】
また、本考案の請求項９による防塵ユニット付きプリンタは、前記筐体には、前記用紙収納部に前記記録用紙を入れるための挿入蓋を有していることを特徴としている。
【００１７】
また、本考案の請求項１０による防塵ユニット付きプリンタは、前記プリンタには、外部機器との接続用の接続部を有しており、前記筐体には、前記接続部と前記外部機器との接続を可能にするための接続蓋を有していることを特徴としている。
【００１８】
また、本考案の請求項１１による防塵ユニット付きプリンタは、前記プリンタの電源がオンされた際に、前記防塵ユニットに設けられた前記検出部により前記プリンタの前記駆動部の駆動状態を検知して、前記防塵ユニットを初期化し、前記プリンタの印刷が開始される際に、前記検出部により前記プリンタの前記駆動部の駆動状態を検知して、前記防塵ユニットに設けられた前記用紙収納部から前記記録用紙を前記プリンタの前記給紙部に搬送可能になるように準備し、前記防塵ユニットに備えられた前記切換部によって、前記プリンタに設けられた前記切換手段が切り換えられ、前記用紙収納部の前記記録用紙の種類に対応した印刷条件に切り換えられて、印刷が実行され、前記プリンタの印刷が終了した際に、前記検出部により前記プリンタの前記駆動部の駆動状態を検知して、前記プリンタの前記排紙部から印刷済み前記記録用紙を前記防塵ユニットに設けられた前記印刷用紙収容部に搬送可能になるように準備し、前記印刷用紙収容部に印刷済み前記記録用紙の搬送が全て終了した際に、前記検出部により前記プリンタの前記駆動部の駆動状態を検知して、前記防塵ユニットを初期化後の状態に復帰することを特徴としている。
【考案の効果】
【００１９】
請求項１の考案によれば、本考案の防塵ユニットは、プリンタを防塵ユニットのプリンタ載置部に設置することで、防塵ユニットに設けられた検知手段からプリンタの印刷条件を検知可能にし、プリンタの印刷条件を検知した際に、用紙収納部から記録用紙をプリンタの給紙部に搬送可能にするので、プリンタ、用紙収納部及び印刷用紙収容部を覆い囲った筐体内でのみ印刷が行われるようにできる。このことにより、印刷時における塵埃の侵入を防止することができる。
【００２０】
請求項２の考案によれば、本考案の防塵ユニットは、防塵ユニットに設けられた検出部によりプリンタの給紙部に設けられた駆動部の駆動状態を検知し、プリンタの印刷開始を検知できるので、用紙収納部の近傍に設けられた駆動体を動作させて用紙収納部から記録用紙をプリンタの給紙部に搬送することができる。このことにより、プリンタを防塵ユニットのプリンタ載置部に設置するだけで、プリンタ、用紙収納部及び印刷用紙収容部を覆い囲った筐体内でのみ印刷が行われるようにでき、印刷時における塵埃の侵入をより防止することができる。
【００２１】
請求項３の考案によれば、本考案の防塵ユニットは、プリンタ載置部近傍に設けられた切換部によりプリンタの給紙部の近傍に設けられた切換手段を切り換えることができ、切換部の切換手段の切り換えによりプリンタがプリンタ載置部に設置されたことを検知するようにしている。このため、プリンタが防塵ユニットの用紙収納部からの記録用紙であると検知し、記録用紙の種類に対応した印刷条件に切り換えることができ、記録用紙の種類に対応した給紙、往復搬送、排紙を行うことができる。このことにより、プリンタ、用紙収納部及び印刷用紙収容部を覆い囲った筐体内でのみ印刷が行われるようにできるので、印刷時における塵埃の侵入をより防止することができる。
【００２２】
請求項４の考案によれば、本考案の防塵ユニット付きプリンタは、防塵ユニットに設けられた検知手段からプリンタ載置部に設置された際、プリンタの印刷条件を検知し、用紙収納部から記録用紙をプリンタの給紙部に搬送可能にするので、プリンタ、用紙収納部及び印刷用紙収容部を覆い囲った筐体内でのみ印刷が行われるようにできる。このことにより、印刷時における塵埃の侵入を防止することができる。
【００２３】
請求項５の考案によれば、本考案の防塵ユニット付きプリンタは、防塵ユニットに設けられた検出部によりプリンタの給紙部に設けられた駆動部の駆動状態を検知し、プリンタの印刷開始を検知できるので、用紙収納部の近傍に設けられた駆動体を動作させて用紙収納部から記録用紙をプリンタの給紙部に搬送することができる。このことにより、プリンタ、用紙収納部及び印刷用紙収容部を覆い囲った筐体内でのみ印刷が行われるようにでき、印刷時における塵埃の侵入をより防止することができる。
【００２４】
請求項６の考案によれば、本考案の防塵ユニット付きプリンタは、プリンタ載置部近傍に設けられた切換部によりプリンタの給紙部の近傍に設けられた切換手段を切り換えることができ、切換部の切換手段の切り換えによりプリンタがプリンタ載置部に設置されたことを検知するようにしている。このため、プリンタが防塵ユニットの用紙収納部からの記録用紙であると検知し、記録用紙の種類に対応した印刷条件に切り換えることができ、記録用紙の種類に対応した給紙、往復搬送、排紙を行うことができる。このことにより、プリンタ、用紙収納部及び印刷用紙収容部を覆い囲った筐体内でのみ印刷が行われるようにできるので、印刷時における塵埃の侵入をより防止することができる。
【００２５】
請求項７の考案によれば、本考案の防塵ユニット付きプリンタは、印刷用紙収容部から印刷済み記録用紙を取り出すための取出蓋を有しているので、筐体から印刷用紙収容部を取り外さず、印刷済み記録用紙を取り出すことができる。このことにより、防塵ユニットへの塵埃の侵入を低減することができ、塵埃による印刷物の不具合を低減することができる。
【００２６】
請求項８の考案によれば、本考案の防塵ユニット付きプリンタは、プリンタにインク体を装着するための装着蓋を有しているので、筐体からプリンタを取り外さず、インク体を装着することができる。このことにより、防塵ユニットへの塵埃の侵入をより低減することができ、塵埃による印刷物の不具合をより低減することができる。
【００２７】
請求項９の考案によれば、本考案の防塵ユニット付きプリンタは、用紙収納部に記録用紙を入れるための挿入蓋を有しているので、筐体から用紙収納部を取り外さず、記録用紙を入れることができる。このことにより、防塵ユニットへの塵埃の侵入をより一層低減することができ、塵埃による印刷物の不具合をより一層低減することができる。
【００２８】
請求項１０の考案によれば、本考案の防塵ユニット付きプリンタは、プリンタに設けられた接続部と外部機器との接続を可能にするための接続蓋を有しているので、筐体からプリンタを取り外さず、筐体内に収容されたプリンタと外部機器とを接続することができる。このため、筐体内に収容されたプリンタに外部から印刷機能を付加することができる。このことにより、防塵ユニットへの塵埃の侵入を低減することができるとともに、プリンタの印刷機能を向上させることできる。
【００２９】
請求項１１の考案によれば、本考案の防塵ユニット付きプリンタは、防塵ユニットに設けられた検出部及び切換部によって、防塵ユニットとプリンタとの連動機能を得ることができる。このことにより、簡単な機構で容易に印刷を行うことができる。
【００３０】
したがって、本考案の防塵ユニットは、印刷時における塵埃の侵入を防止できる防塵ユニット及び防塵ユニット付きプリンタを提供できる。
【図面の簡単な説明】
【００３１】
【図１】本考案の第１実施形態の防塵ユニット付きプリンタの斜視図である。
【図２】本考案の第１実施形態の防塵ユニット付きプリンタの斜視図であって、筐体のカバーを省略した図である。
【図３】本考案の第１実施形態の防塵ユニット付きプリンタの側面図であって、図３（ａ）は、図１に示すＸ２側から見た図であり、図３（ｂ）は、図１に示すＸ１側から見た図であり、図３（ｃ）は、図３（ｂ）に示す側面図の筐体を省略した図である。
【図４】本考案の第１実施形態の防塵ユニット付きプリンタの防塵ユニットの斜視図であって、筐体のカバーを省略した図である。
【図５】本考案の第１実施形態の防塵ユニット付きプリンタの防塵ユニットの斜視図であって、筐体を省略した図である。
【図６】本考案の第１実施形態の防塵ユニット付きプリンタの防塵ユニットの筐体を省略した図であって、図６（ａ）は、図５に示すＹ１側から見た正面図であり、図６（ｂ）は、図５に示すＺ２側から見た底面図である。
【図７】本考案の第１実施形態の防塵ユニット付きプリンタのプリンタのみの斜視図であって、図７（ａ）は、給紙部側から見た図であり、図７（ｂ）は、反対側から見た図である。
【図８】従来例１における記録媒体カセットを説明する構成図である。
【考案を実施するための最良の形態】
【００３２】
以下、本考案の実施の形態について添付図面を参照して詳細に説明する。
【００３３】
［第１実施形態］
図１は、本考案の第１実施形態の防塵ユニット付きプリンタＰＲ０１を説明する構成図である。図２は、本考案の第１実施形態の防塵ユニット付きプリンタＰＲ０１の斜視図であって、筐体１のカバー３を省略した図である。図３は、本考案の第１実施形態の防塵ユニット付きプリンタＰＲ０１の側面図であって、図３（ａ）は、図１に示すＸ２側から見た図であり、図３（ｂ）は、図１に示すＸ１側から見た図であり、図３（ｃ）は、図３（ｂ）に示す側面図の筐体１を省略した図である。図４は、本考案の第１実施形態の防塵ユニット付きプリンタＰＲ０１の防塵ユニット１０１の斜視図であって、筐体１のカバー３を省略した図である。図５は、本考案の第１実施形態の防塵ユニット付きプリンタＰＲ０１の防塵ユニット１０１の斜視図であって、筐体１を省略した図である。図６は、本考案の第１実施形態の防塵ユニット付きプリンタＰＲ０１の防塵ユニット１０１の筐体１を省略した図であって、図６（ａ）は、図５に示すＹ１側から見た正面図であり、図６（ｂ）は、図５に示すＺ２側から見た底面図である。図７は、本考案の第１実施形態の防塵ユニット付きプリンタＰＲ０１のプリンタＰＲＴのみの斜視図であって、図７（ａ）は、給紙部Ｐ７側から見た図であり、図７（ｂ）は、反対側（排出部Ｐ９側）から見た図である。
【００３４】
本考案の第１実施形態の防塵ユニット付きプリンタＰＲ０１は、図１ないし図７に示すように、印刷手段を有するプリンタＰＲＴと、プリンタＰＲＴを覆い囲って収容する筐体１を有した防塵ユニット１０１とを有し、防塵ユニット１０１の筐体１内には、複数枚の未使用の記録用紙を収納可能な用紙収納部５と、プリンタＰＲＴを設置可能なプリンタ載置部６と、印刷済み記録用紙を収容可能な印刷用紙収容部７と、を備えて構成され、他に、用紙収納部５から記録用紙をプリンタＰＲＴに搬送するための供給ユニットＫ９を有している。
【００３５】
プリンタＰＲＴは、図２、図３（ｃ）及び図７に示すように、箱形状の外形をしており、所望の画像を記録用紙に印刷するため印刷手段として、記録用紙を給紙する給紙部Ｐ７と、記録用紙をプリンタＰＲＴの本体内部で往復搬送するための搬送ローラ（図示していない）等を有した搬送手段と、印刷済み記録用紙を排紙する排紙部Ｐ８と、を備えて構成され、他に、印刷手段として、印刷時において記録用紙の一部をプリンタＰＲＴの本体から一時的に突出させる排出部Ｐ９（図７（ｂ）に示す）や、図示を省略するが、記録用紙に印字するためのインク体及び印字ヘッド等を備えている。なお、このプリンタＰＲＴは、プリンタＰＲＴのサイズをコンパクトにするため、排紙部Ｐ８は給紙部Ｐ７が設けられている側に備えられ、印刷済み記録用紙を排紙部Ｐ８から排紙するようにしている。
【００３６】
また、プリンタＰＲＴの給紙部Ｐ７には、プリンタＰＲＴの印刷が開始される際に、給紙動作時に記録用紙をプリンタＰＲＴ内に供給するための駆動部Ｐ４を有している。駆動部Ｐ４は、図７（ａ）に示すようにレバー状の外形を有しており、プリンタＰＲＴが防塵ユニット１０１に載置されなく給紙カセット（図示していない）が給紙部Ｐ７にセットされた場合、プリンタＰＲＴの印刷が開始される際に、給紙カセットの下面を押し上げて、記録用紙をプリンタＰＲＴの本体内部に搬送可能になるような機能を主に有している。このレバー状の駆動部Ｐ４は、プリンタに備えられている。
【００３７】
また、プリンタＰＲＴの給紙部Ｐ７の近傍には、プリンタＰＲＴが記録用紙の種類及び給紙カセットの種類に対応した印刷条件を選択するための切換手段が配設されている。このプリンタＰＲＴの切換手段は、図７（ａ）に示すように、給紙部Ｐ７の斜め下方に設けられ、例えば複数個の切換スイッチを有したディップスイッチＤＳＷを用い、後述する供給ユニットＫ９に設けられた切換部８によってディップスイッチＤＳＷの切換スイッチを切り換えることにより達成され、プリンタＰＲＴが記録用紙の種類及び給紙カセットの種類を判断し、印刷条件を選択できるようになる。例えば、ディップスイッチＤＳＷの切換スイッチの組み合わせにより、プリンタＰＲＴがプリンタ載置部６に載置されたか、或いは給紙カセットが給紙部Ｐ７にセットされたかが判別できたり、防塵ユニット１０１の用紙収納部５に収納された記録用紙のサイズを判別できたりすることができる。
【００３８】
また、プリンタＰＲＴには、外部機器との接続用の接続部をいくつか有している。このプリンタＰＲＴの接続部として、図７に示すように、電源ケーブルＣＡを挿入するためのＤＣジャックＤＣや、ＳＤカード，メモリースティック等のカード用コネクタＣＮや、ＵＳＢフラッシュメモリのＵＳＢポートＰＯが備えられている。この接続部を有しているために、画像等のデータを読み込むだけでなく、外部機器と繋ぐことによりプリンタＰＲＴ内のプログラムの書き換えを行うことができる。また、プリンタＰＲＴには、図１、図２及び図７に示すように、他に複数の操作ボタンＰＢとＬＣＤ等の表示装置ＰＬＣも備えている。
【００３９】
防塵ユニット１０１の筐体１は、図１ないし図３に示すように、合成樹脂材料を成形加工することにより外形が略矩形状に形成され、ケース２と、ケース２を覆うように配置されたカバー３とを有して構成される。また、筐体１のケース２には、プリンタＰＲＴを収容するとともに、用紙収納部５と印刷用紙収容部７とを収容する収容部２ｓを有している。
【００４０】
また、筐体１のケース２の側面には、図１、図２及び図３（ｂ）に示すように、プリンタＰＲＴがプリンタ載置部６に載置された際に、プリンタＰＲＴの側面に設けられた側蓋Ｐ２（図７（ｂ）に示す）に対向する位置に装着蓋４１が設けられている。そして、装着蓋４１を開けた後にプリンタＰＲＴの側蓋Ｐ２を開けて、インク体（インクリボンカセット等）を装着できるようになっている。このことにより、筐体１からプリンタＰＲＴを取り外さず、インク体を装着することができるので、防塵ユニット１０１への塵埃の侵入を低減することができる。
【００４１】
また、筐体１のケース２の側面には、図１及び図２に示すように、給紙部Ｐ７側と反対側の用紙収納部５の端部と対向する位置に、挿入蓋５１が設けられている。そして、挿入蓋５１を開けて用紙収納部５に記録用紙を入れられるようになっている。このことにより、筐体１から用紙収納部を取り外さず、記録用紙を入れることができるので、防塵ユニット１０１への塵埃の侵入をより低減することができる。
【００４２】
また、筐体１のカバー３の端部には、図１、図３（ａ）及び図３（ｂ）に示すように、排紙部Ｐ８側と反対側の印刷用紙収容部７の端部と対向する位置に、取出蓋６１が設けられている。そして、取出蓋６１開けて印刷用紙収容部７から印刷済み記録用紙を取り出せるようになっている。このことにより、筐体１から印刷用紙収容部７を取り外さず、印刷済み記録用紙を取り出すことができるので、防塵ユニット１０１への塵埃の侵入をより一層低減することができる。
【００４３】
また、筐体１のカバー３には、図１及び図３（ａ）に示すように、カード用コネクタＣＮと対向する位置に接続蓋７１ａが設けられ、ＵＳＢポートＰＯと対向する位置に接続蓋７１ｂが設けられている。そして、接続蓋７１ａや接続蓋７１ｂを開けて、ＳＤカード、メモリースティックやＵＳＢフラッシュメモリ等の外部機器との接続が可能になる。このため、筐体１からプリンタＰＲＴを取り外さず、筐体１内に収容されたプリンタＰＲＴと外部機器とを接続することができるので、筐体１内に収容されたプリンタＰＲＴに外部から印刷機能を付加することができる。このことにより、防塵ユニット１０１への塵埃の侵入を低減することができるとともに、プリンタＰＲＴの印刷機能を向上させることができる。
【００４４】
また、筐体１のカバー３の上面には、図１に示すように、プリンタＰＲＴの操作ボタンＰＢと対向する位置に、可撓性でしかも透明なフィルムカバーＦ３が設けられている。このことにより、筐体１内に収容されたプリンタＰＲＴの操作を行うことができる。更に、筐体１のカバー３の上面には、図１に示すように、プリンタＰＲＴの表示装置ＰＬＣと対向する位置に、透明な窓部Ｍ３が設けられている。このことにより、筐体１内に収容されたプリンタＰＲＴの状態を確認することができる。
【００４５】
防塵ユニット１０１の用紙収納部５は、図２、図３、図５及び図６に示すように、記録用紙を複数枚収納できるように箱状の形状をしており、ケース２の底面２ｂ側に配置されている。また、用紙収納部５の上方側には、印刷済みの記録用紙を複数枚収容できるように凹状の形状をした印刷用紙収容部７が載置されている。なお、プリンタＰＲＴの排紙部Ｐ８が給紙部Ｐ７側に設けられているので、用紙収納部５側に印刷用紙収容部７を設けたが、プリンタＰＲＴの排出部Ｐ９側に排紙部Ｐ８を設けた他のプリンタの場合、印刷用紙収容部７は、排出部Ｐ９側に設けなければいけない。その際には、印刷用紙収容部７を防塵ユニット１０１内に収容するため、防塵ユニット１０１のサイズを大きくする必要が生じる。
【００４６】
防塵ユニット１０１の供給ユニットＫ９には、図２ないし図６に示すように、給排紙ローラＫ５９と排紙ローラＫ９９とを有している。給排紙ローラＫ５９は、用紙収納部５から記録用紙をプリンタＰＲＴの給紙部Ｐ７に搬送する機能を有するとともに、印刷されプリンタＰＲＴの排紙部Ｐ８から排紙された印刷済み記録用紙を排紙ローラＫ９９との間に挟時して、印刷済み記録用紙を印刷用紙収容部７に搬送する機能を有している。また、プリンタＰＲＴの駆動部Ｐ４が全て上ることにより、給紙動作を阻害するのを防止するため、図４及び図６（ａ）に示すように、駆動部Ｐ４が供給ユニットＫ９の挿入部Ｋ１９の下面Ｋ１９ｂに阻害され、駆動部Ｐ４が途中でストップするように構成している。
【００４７】
また、防塵ユニット１０１には、図３（ｂ）、図３（ｃ）及び図６に示すように、ケース２の底面２ｂと用紙収納部５の下面５ｂ間に、供給ユニットＫ９側から用紙収納部５の下面５ｂの片側を押し上げるための駆動体９が設けられている。また、防塵ユニット１０１のプリンタ載置部６は、図４に示すように、ケース２の底面２ｂ側に台座状の形状で２箇所に形成されており、ケース２と一体で作製されるのがより好ましい。
【００４８】
また、プリンタＰＲＴの給紙部Ｐ７側であって、防塵ユニット１０１の供給ユニットＫ９には、図４及び図６に示すように、プリンタＰＲＴの印刷条件を検知する検知手段である、検出部４が設けられている。検出部４は、プッシュスイッチやシーソースイッチ等のメカニカルスイッチを用い、プリンタＰＲＴの駆動部Ｐ４の駆動状態を検知するできる位置に配置されている。なお、検出部４にメカニカルスイッチを用いたが、フォトインタラプタ等の光スイッチを用いても良い。
【００４９】
また、防塵ユニット１０１のプリンタ載置部６の近傍には、図４に示すように、供給ユニットＫ９の給紙部Ｐ７側に切換部８が設けられている。切換部８は、プリンタＰＲＴがプリンタ載置部６に設置された際に、例えばプリンタＰＲＴに設けられたディップスイッチＤＳＷの切換スイッチを、切換部８に設けられた凸部８ｔで当接させ、切換スイッチを切り換えることにより、プリンタＰＲＴが記録用紙の種類及び給紙カセットの種類に対応した印刷条件を選択するようにさせている。
【００５０】
次に、以上に述べた構成を用いた防塵ユニット付きプリンタＰＲ０１の動作の一例について説明する。
【００５１】
先ず、プリンタＰＲＴが防塵ユニット１０１の載置部にセットされて、防塵ユニット付きプリンタＰＲＯ１の電源がオンされた際に、プリンタＰＲＴの電源が自動的にオンされ、防塵ユニット１０１に設けられた検出部４により、プリンタＰＲＴの電源オン時における初期化動作に伴う駆動部Ｐ４の駆動動作（例えば上下の動作）を検知して、防塵ユニット１０１を初期化する。また、プリンタＰＲＴは、プリンタ載置部６に設置されたことで切換部８によりプリンタＰＲＴに設けられた切換手段が切り換えられ、プリンタＰＲＴがプリンタ載置部６に設置されたことを検知するようになる。このことにより、プリンタＰＲＴは、防塵ユニットに対応した印刷条件に切り換えることができ、防塵ユニット１０１の用紙収納部５から供給される記録用紙に対応した給紙、往復搬送、排紙を行うことができる。
【００５２】
次に、プリンタＰＲＴの印刷のための操作ボタンＰＢが操作されるか、または、ＵＳＢポートＰＯから印刷データを受信して、防塵ユニット付きプリンタＰＲＯ１の印刷動作が開始される。先ず始めに、プリンタＰＲＴの給紙動作が開始され、プリンタＰＲＴの駆動部Ｐ４が上方に動く駆動動作が行われる。そして、検出部４によりこの駆動部Ｐ４の駆動状態を検知することにより、プリンタＰＲＴが印刷動作を開始したことを防塵ユニット１０１が検知するようになり、用紙収納部５の下面５ｂの下部に設けられた駆動体９を駆動させて、用紙収納部５の下面５ｂの片側を上方に押し上げる。ぞして、用紙収納部５に収納された最上面の記録用紙を給排紙ローラＫ５９に当接させ、給排紙ローラＫ５９の回転駆動により、用紙収納部５から供給ユニットＫ９を介して、記録用紙をプリンタＰＲＴの給紙部Ｐ７に搬送可能になるようにしている。このことにより、プリンタＰＲＴは、防塵ユニット１０１の用紙収納部５から記録用紙が供給されて、プリンタＰＲＴの給紙部Ｐ７に搬送することができる。
【００５３】
次に、供給ユニットＫ９により用紙収納部５から記録用紙をプリンタＰＲＴの給紙部Ｐ７に搬送し、給紙部Ｐ７により記録用紙が引き込まれ、プリンタＰＲＴ内の搬送ローラの回転駆動により記録用紙を印刷開始位置まで搬送される。また、記録用紙がプリンタＰＲＴ内に引き込まれる際には、プリンタＰＲＴの駆動部Ｐ４が下方に動く駆動動作が行われ、検出部４によりこの駆動部Ｐ４の駆動状態を検知することにより、プリンタＰＲＴが給紙動作を終了したことを防塵ユニット１０１が検知するようになる。そして、用紙収納部５の下面５ｂの下部に設けられた駆動体９が下方に駆動し、用紙収納部５の下面５ｂが下方に下げられる。これにより、用紙収納部５に収納された最上面の記録用紙を給排紙ローラＫ５９との当接から解除し、給排紙ローラＫ５９による記録用紙の搬送を終了させることができる。そして、記録用紙はプリンタＰＲＴ内で複数回にわたり往復搬送されながら、プリンタＰＲＴによって記録用紙に印刷が行われる。
【００５４】
次に、プリンタＰＲＴの印刷が終了し、排紙動作が行われる際に、再びプリンタＰＲＴの駆動部Ｐ４が上方に動く駆動動作が行われ、検出部４によりこの駆動部Ｐ４の駆動状態を検知し、プリンタＰＲＴが排紙動作を開始したことを防塵ユニット１０１が検知できるようになる。そして、プリンタＰＲＴは、プリンタＰＲＴの排紙部Ｐ８から印刷済み記録用紙を供給ユニットＫ９の給排紙ローラＫ５９に向けて排出する。そして、排紙部Ｐ８から排紙された印刷済み記録用紙を給排紙ローラＫ５９と排紙ローラＫ９９との間に挟時して、給排紙ローラＫ５９の回転駆動により、防塵ユニット１０１に設けられた印刷用紙収容部７に向かって印刷済みの記録用紙を搬送する。
【００５５】
最後に、プリンタＰＲＴの駆動部Ｐ４が下方に動く駆動動作が行われ、検出部４がこの駆動部Ｐ４の駆動状態を検知することで、プリンタＰＲＴが排紙動作を終了したことを検知できるようになる。そして、最後に印刷された印刷済み記録用紙を印刷用紙収容部７に搬送するため、給排紙ローラＫ５９の回転駆動を一定時間続け、その後、給排紙ローラＫ５９の回転駆動が止められる。これにより一連の印刷動作が終了し、プリンタＰＲＴ及び防塵ユニット１０１が初期化後の状態に復帰するようになる。以下、再びプリンタＰＲＴの印刷のための操作ボタンＰＢが操作されるか、または、ＵＳＢポートＰＯから印刷データを受信した場合、上記と同様な動きが繰り返される。
【００５６】
このようにして、本考案の防塵ユニット付きプリンタＰＲ０１は、防塵ユニット１０１に設けられた検出部４及び切換部８によって、防塵ユニット１０１とプリンタＰＲＴとの連動機能を得ることができる。このことにより、簡単な機構で容易に印刷を行うことができる。
【００５７】
以上により、本考案の防塵ユニット付きプリンタＰＲ０１は、防塵ユニット１０１に設けられた検知手段からプリンタ載置部６に設置された際、プリンタＰＲＴの記録用紙の種類および給紙カセットの種類に対応した印刷条件を検知し、プリンタＰＲＴの給紙動作を検知した際に、用紙収納部５から記録用紙をプリンタＰＲＴの給紙部Ｐ７に搬送可能にするので、プリンタＰＲＴ、用紙収納部５及び印刷用紙収容部７を覆い囲った筐体１内でのみ印刷が行われるようにできる。このことにより、印刷時における塵埃の侵入を防止することができる。
【００５８】
また、防塵ユニット１０１に設けられた検出部４によりプリンタＰＲＴの給紙部Ｐ７に設けられた駆動部Ｐ４の駆動状態を検知し、プリンタＰＲＴの印刷開始を検知できるので、用紙収納部５の下面５ｂの下部に設けられた駆動体９を動作させて、用紙収納部５から記録用紙をプリンタＰＲＴの給紙部Ｐ７に搬送することができる。このことにより、プリンタＰＲＴ、用紙収納部５及び印刷用紙収容部７を覆い囲った筐体１内でのみ印刷が行われるようにでき、印刷時における塵埃の侵入をより防止することができる。
【００５９】
また、プリンタ載置部６の近傍に設けられた切換部８により、プリンタＰＲＴの給紙部Ｐ７の近傍に設けられた切換手段を切り換えることができ、切換部８の切換手段の切り換えによりプリンタＰＲＴがプリンタ載置部６に設置されたことを検知するようにしている。このため、プリンタＰＲＴが防塵ユニット１０１の用紙収納部５からの記録用紙であると検知し、記録用紙の種類及び給紙カセットに対応した印刷条件に切り換えることができ、記録用紙の種類に対応した給紙、往復搬送、排紙を行うことができる。このことにより、プリンタＰＲＴ、用紙収納部５及び印刷用紙収容部７を覆い囲った筐体１内でのみ印刷が行われるようにできるので、印刷時における塵埃の侵入をより防止することができる。
【００６０】
また、印刷用紙収容部７から印刷済み記録用紙を取り出すための取出蓋６１を有しているので、筐体１から印刷用紙収容部７を取り外さず、印刷済み記録用紙を取り出すことができる。このことにより、防塵ユニット１０１への塵埃の侵入を低減することができ、塵埃による印刷物の不具合を低減することができる。
【００６１】
また、プリンタＰＲＴにインク体を装着するための装着蓋４１を有しているので、筐体１からプリンタＰＲＴを取り外さず、インク体を装着することができる。このことにより、防塵ユニット１０１への塵埃の侵入をより低減することができ、塵埃による印刷物の不具合をより低減することができる。
【００６２】
また、用紙収納部５に記録用紙を入れるための挿入蓋５１を有しているので、筐体１から用紙収納部５を取り外さず、記録用紙を入れることができる。このことにより、防塵ユニット１０１への塵埃の侵入をより一層低減することができ、塵埃による印刷物の不具合をより一層低減することができる。
【００６３】
また、プリンタＰＲＴに設けられた接続部と外部機器との接続を可能にするための接続蓋（７１ａ、７１ｂ）を有しているので、筐体１からプリンタＰＲＴを取り外さず、筐体１内に収容されたプリンタＰＲＴと外部機器とを接続することができる。このため、筐体１内に収容されたプリンタＰＲＴに外部から印刷機能を付加することができる。このことにより、防塵ユニット１０１への塵埃の侵入を低減することができるとともに、プリンタＰＲＴの印刷機能を向上させることができる。
【００６４】
また、防塵ユニット１０１に設けられた検出部４及び切換部８によって、防塵ユニット１０１とプリンタＰＲＴとの連動機能を得ることができる。このことにより、簡単な機構で容易に印刷を行うことができる。
【００６５】
本考案は上記実施の形態に限定されず、本考案の目的の範囲を逸脱しない限りにおいて適宜変更することが可能である。
【符号の説明】
【００６６】
１  筐体
４１  装着蓋
５１  挿入蓋
６１  取出蓋
７１ａ、７１ｂ  接続蓋
２  ケース
２ｓ  収容部
３  カバー
４  検出部
５  用紙収納部
６  プリンタ載置部
７  印刷用紙収容部
８  切換部
９  駆動体
ＰＲＴ  プリンタ
Ｐ４  駆動部
Ｐ７  給紙部
Ｐ８  排紙部
１０１  防塵ユニット
ＰＲ０１  防塵ユニット付きプリンタ
【図１】
0003170617.tif 000003
【図２】
0003170617.tif 000004
【図３】
0003170617.tif 000005
【図４】
0003170617.tif 000006
【図５】
0003170617.tif 000007
【図６】
0003170617.tif 000008
【図７】
0003170617.tif 000009
【図８】
0003170617.tif 000010